(57)【要約】【課題】より短時間かつ高精度にスペクトルを測定可能な光学特性測定装置および光学特性測定方法を提供する。【解決手段】処理装置は、補正領域で検出された信号強度に基づいて、補正値を算出する（ステップＳ２０４）。続いて、処理装置は、ステップＳ２０２において取得された検出領域で検出された測定スペクトルに含まれる各成分値から、ステップＳ２０４において算出した補正値を減じることで補正測定スペクトルを算出する（ステップＳ２０６）。ここで、検出領域は分光器からの光の入射面に対応する領域であり、補正領域は分光器で分光された光が入射しない領域である。【選択図】図８
2010117343.tif 000002
【特許請求の範囲】
【請求項１】
筐体と、
前記筐体内に配置された分光器と、
前記筐体の外部から前記分光器へ入射する光を遮断する遮断部と、
前記筐体内に配置され、前記分光器によって分光された光を受光する光検出器と、
前記光検出器による検出結果を出力する処理部とを備え、
前記光検出器は、前記分光器からの光の入射面より広い範囲の検出面を有しており、
前記処理部は、
前記筐体に入射する光を遮断した後、前記分光器からの光の入射面に対応する第１検出領域で検出された第１スペクトルと、前記分光器からの光の入射面とは異なる第２検出領域で検出された第１信号強度とを取得し、
前記第１スペクトルの各成分値から前記第１信号強度に基づいて算出した第１補正値を減じることで第１補正スペクトルを算出し、
前記遮断部を開放した状態において、前記第１検出領域で検出された第２スペクトルと、前記第２検出領域で検出された第２信号強度とを取得し、
前記第２スペクトルの各成分値から前記第２信号強度に基づいて算出した第２補正値を減じることで第２補正スペクトルを算出し、
前記第２補正スペクトルの各成分値から前記第１補正スペクトルの対応する成分値を減じることで、測定結果である出力スペクトルを算出する、光学特性測定装置。
【請求項２】
前記筐体に取込まれた光が前記分光器に入射する光路上に配置され、所定波長より短い波長の光を遮断するためのカットフィルタをさらに備える、請求項１に記載の光学特性測定装置。
【請求項３】
前記第２検出領域は、前記第１検出領域に引き続く短波長側に設けられる、請求項２に記載の光学特性測定装置。
【請求項４】
前記第２検出領域は、複数の検出素子を含み、
前記第１補正値は、前記複数の検出素子のそれぞれで検出された前記第１信号強度の平均値であり、
前記第２補正値は、前記複数の検出素子のそれぞれで検出された前記第２信号強度の平均値である、請求項１〜３のいずれか１項に記載の光学特性測定装置。
【請求項５】
前記処理部は、前記第１補正スペクトルを格納する記憶部を含む、請求項１〜４のいずれか１項に記載の光学特性測定装置。
【請求項６】
筐体と、
前記筐体内に配置された分光器と、
前記筐体内に配置され、前記分光器によって分光された光を受光する光検出器と、
前記光検出器による検出結果を出力する処理部とを備え、
前記光検出器は、前記分光器からの光の入射面より広い範囲の検出面を有しており、
前記処理部は、
前記分光器からの光の入射面に対応する第１検出領域で検出された測定スペクトルと、前記分光器からの光の入射面とは異なる第２検出領域で検出された信号強度とを取得し、
前記光検出器のノイズ特性を示す、予め用意されたパターンを、前記信号強度に基づいて補正することで第１補正スペクトルを算出し、
前記測定スペクトルの各成分値から前記信号強度に基づいて算出した前記補正値を減じることで第２補正スペクトルを算出し、
前記第２補正スペクトルの各成分値から前記第１補正スペクトルの対応する成分値を減じることで、測定結果である出力スペクトルを算出する、光学特性測定装置。
【請求項７】
前記処理部は、
前記光検出器に設定可能な複数の露光時間にそれぞれ対応付けて複数のパターンを記憶しており、
前記ノイズスペクトルを決定する際には、前記光検出器に設定されている露光時間に対応する１つのパターンを選択する、請求項６に記載の光学特性測定装置。
【請求項８】
筐体内に配置された、分光器と、前記分光器によって分光された光を受光する光検出器とを含む測定装置を用意するステップを備え、前記光検出器は、前記分光器からの光の入射面より広い範囲の検出面を有しており、
前記筐体に入射する光を遮断した状態で、前記分光器からの光の入射面に対応する第１検出領域で検出された第１スペクトルと、前記分光器からの光の入射面とは異なる第２検出領域で検出された第１信号強度とを取得するステップと、
前記第１スペクトルの各成分値から前記第１信号強度に基づいて算出した第１補正値を減じることで第１補正スペクトルを算出するステップと、
前記遮断部を開放した状態において、前記第１検出領域で検出された第２スペクトルと、前記第２検出領域で検出された第２信号強度とを取得するステップと、
前記第２スペクトルの各成分値から前記第２信号強度に基づいて算出した第２補正値を減じることで第２補正スペクトルを算出するステップと、
前記第２補正スペクトルの各成分値から前記第１補正スペクトルの対応する成分値を減じることで、測定結果である出力スペクトルを算出するステップとを備える、光学特性測定方法。
【請求項９】
筐体内に配置された、分光器と、前記分光器によって分光された光を受光する光検出器とを含む測定装置を用意するステップを備え、前記光検出器は、前記分光器からの光の入射面より広い範囲の検出面を有しており、
前記分光器からの光の入射面に対応する第１検出領域で検出された測定スペクトルと、前記分光器からの光の入射面とは異なる第２検出領域で検出された信号強度とを取得するステップと、
前記光検出器のノイズ特性を示す、予め用意されたパターンを、前記信号強度に基づいて補正することで第１補正スペクトルを算出するステップと、
前記測定スペクトルの各成分値から前記信号強度に基づいて算出した前記補正値を減じることで第２補正スペクトルを算出するステップと、
前記第２補正スペクトルの各成分値から前記第１補正スペクトルの対応する成分値を減じることで、測定結果である出力スペクトルを算出するステップとを備える、光学特性測定方法。
【発明の詳細な説明】
【技術分野】
【０００１】
この発明は、光学特性測定装置および光学特性測定方法に関し、特にスペクトルを高精度に測定するための技術に関する。
【背景技術】
【０００２】
従来から、発光体などの評価を行なうための技術として、分光計測が広く用いられている。このような分光計測に用いられる光学特性測定装置では、一般的に、測定対象の発光体などからの測定光を分光器（典型的には、回折格子）を用いて成分波長に分光し、分光された各成分波長を光検出器で検出する。測定光以外の影響を極力低減するために、これらの分光器や光検出器は、筐体内に収納される。
【０００３】
しかしながら、現実的には、光検出器による検出結果は、筐体内部の乱反射した光、分光器表面で拡散反射した光、および測定次数以外の次数をもつ光などの影響を受け得る。一般的に、これらの光は「迷光」と称される。このような意図しない迷光による影響を抑制するために、各種の方法が提案されている。
【０００４】
たとえば、特開平１１−０３０５５２号公報（特許文献１）には、分光光度計の分散光学系から導かれた光を多数の受光素子を有する受光器によって測定する場合に生じる迷光の影響を、当該分光光度計の測定定数として正確に見積り、その影響を除去する迷光補正方法が開示されている。
【０００５】
また、特開２００２−００５７４１号公報（特許文献２）には、スペクトル測定装置内部に発生する迷光や、検出素子の表面の反射や回折により生ずる不要な光の影響を、検出信号の処理により取り除き、精度のよいスペクトル強度信号を得ることのできる、スペクトル測定装置が開示されている。
【先行技術文献】
【特許文献】
【０００６】
【特許文献１】特開平１１−０３０５５２号公報
【特許文献２】特開２００２−００５７４１号公報
【発明の概要】
【発明が解決しようとする課題】
【０００７】
しかしながら、特開平１１−０３０５５２号公報（特許文献１）に開示された迷光補正方法では、各受光素子で測定した受光信号強度と、当該波長に対応する受光素子によって測定した受光信号強度との比を、検出器を構成する受光素子の数だけ算出する必要がある。そのため、相対的に多くの時間を要するといった課題がある。
【０００８】
また、特開２００２−００５７４１号公報（特許文献２）に記載のスペクトル測定装置は、その補正処理の具体的な内容を開示するものではない。
【０００９】
この発明はこのような課題を解決するためになされたものであり、その目的は、より短時間かつ高精度にスペクトルを測定可能な光学特性測定装置および光学特性測定方法を提供することである。
【課題を解決するための手段】
【００１０】
この発明のある局面に従う光学特性測定装置は、筐体と、筐体内に配置された分光器と、筐体の外部から分光器へ入射する光を遮断する遮断部と、筐体内に配置され、分光器によって分光された光を受光する光検出器と、光検出器による検出結果を出力する処理部とを含む。光検出器は、分光器からの光の入射面より広い範囲の検出面を有している。処理部は、筐体に入射する光を遮断した後、分光器からの光の入射面に対応する第１検出領域で検出された第１スペクトルと、分光器からの光の入射面とは異なる第２検出領域で検出された第１信号強度とを取得し、第１スペクトルの各成分値から第１信号強度に基づいて算出した第１補正値を減じることで第１補正スペクトルを算出し、遮断部を開放した状態において、第１検出領域で検出された第２スペクトルと、第２検出領域で検出された第２信号強度とを取得し、第２スペクトルの各成分値から第２信号強度に基づいて算出した第２補正値を減じることで第２補正スペクトルを算出し、第２補正スペクトルの各成分値から第１補正スペクトルの対応する成分値を減じることで、測定結果である出力スペクトルを算出する。
【００１１】
好ましくは、筐体に取込まれた光が分光器に入射する光路上に配置され、所定波長より短い波長の光を遮断するためのカットフィルタをさらに含む。
【００１２】
さらに好ましくは、第２検出領域は、第１検出領域に引き続く短波長側に設けられる。
好ましくは、第２検出領域は、複数の検出素子を含む。第１補正値は、複数の検出素子のそれぞれで検出された第１信号強度の平均値であり、第２補正値は、複数の検出素子のそれぞれで検出された第２信号強度の平均値である。
【００１３】
好ましくは、処理部は、第１補正スペクトルを格納する記憶部を含む。
この発明の別の局面に従う光学特性測定装置は、筐体と、筐体内に配置された分光器と、筐体内に配置され、分光器によって分光された光を受光する光検出器と、光検出器による検出結果を出力する処理部とを含む。検出器は、分光器からの光の入射面より広い範囲の検出面を有している。処理部は、分光器からの光の入射面に対応する第１検出領域で検出された測定スペクトルと、分光器からの光の入射面とは異なる第２検出領域で検出された信号強度とを取得し、光検出器のノイズ特性を示す、予め用意されたパターンを、信号強度に基づいて補正することで第１補正スペクトルを算出し、測定スペクトルの各成分値から信号強度に基づいて算出した補正値を減じることで第２補正スペクトルを算出し、第２補正スペクトルの各成分値から第１補正スペクトルの対応する成分値を減じることで、測定結果である出力スペクトルを算出する。
【００１４】
好ましくは、処理部は、光検出器に設定可能な複数の露光時間にそれぞれ対応付けて複数のパターンを記憶しており、ノイズスペクトルを決定する際には、光検出器に設定されている露光時間に対応する１つのパターンを選択する。
【００１５】
この発明のさらに別の局面に従う光学特性測定方法は、筐体内に配置された、分光器と、分光器によって分光された光を受光する光検出器とを含む測定装置を用意するステップを含む。光検出器は、分光器からの光の入射面より広い範囲の検出面を有している。光学特性測定方法は、筐体に入射する光を遮断した状態で、分光器からの光の入射面に対応する第１検出領域で検出された第１スペクトルと、分光器からの光の入射面とは異なる第２検出領域で検出された第１信号強度とを取得するステップと、第１スペクトルの各成分値から第１信号強度に基づいて算出した第１補正値を減じることで第１補正スペクトルを算出するステップと、遮断部を開放した状態において、第１検出領域で検出された第２スペクトルと、第２検出領域で検出された第２信号強度とを取得するステップと、第２スペクトルの各成分値から第２信号強度に基づいて算出した第２補正値を減じることで第２補正スペクトルを算出するステップと、第２補正スペクトルの各成分値から第１補正スペクトルの対応する成分値を減じることで、測定結果である出力スペクトルを算出するステップとを含む。
【００１６】
この発明のさらに別の局面に従う光学特性測定方法は、筐体内に配置された、分光器と、分光器によって分光された光を受光する光検出器とを含む測定装置を用意するステップを含む。光検出器は、分光器からの光の入射面より広い範囲の検出面を有している。光学特性測定方法は、分光器からの光の入射面に対応する第１検出領域で検出された測定スペクトルと、分光器からの光の入射面とは異なる第２検出領域で検出された信号強度とを取得するステップと、光検出器のノイズ特性を示す、予め用意されたパターンを、信号強度に基づいて補正することで第１補正スペクトルを算出するステップと、測定スペクトルの各成分値から信号強度に基づいて算出した補正値を減じることで第２補正スペクトルを算出するステップと、第２補正スペクトルの各成分値から第１補正スペクトルの対応する成分値を減じることで、測定結果である出力スペクトルを算出するステップとを含む。
【発明の効果】
【００１７】
この発明によれば、より短時間かつ高精度にスペクトルを測定できる。
【図面の簡単な説明】
【００１８】
【図１】この発明の実施の形態に従う光学特性測定装置の外観図を示す図である。
【図２】この発明の実施の形態に従う測定装置の概略の機能ブロック図である。
【図３】この発明の実施の形態に従う光検出器の検出面を示す模式図である。
【図４】この発明の実施の形態に従う光学特性測定装置の光検出器から出力される検出結果の一例を示す概念図である。
【図５】この発明の実施の形態に従う処理装置のハードウェア構成を示す概略構成図である。
【図６】この発明の関連技術に係る光学特性測定装置における測定手順を示すフローチャートである。
【図７】この発明の実施の形態に従う光学特性測定装置におけるダーク測定の処理手順を示すフローチャートである。
【図８】この発明の実施の形態に従う光学特性測定装置における通常測定の処理手順を示すフローチャートである。
【図９】この発明の実施の形態に従う光学特性測定装置の処理装置における制御構造を示す概略図である。
【図１０】この発明の実施の形態に従う光学特性測定装置についての迷光評価の一例を示す図である。
【図１１】図１０に示すスペクトルの要部の拡大図を示す。
【図１２】この発明の実施の形態の変形例１に従う測定器本体の概略の機能ブロック図である。
【図１３】この発明の実施の形態に従うダーク測定結果の温度依存性を示す図である。
【図１４】この発明の実施の形態に従うダークスペクトルの温度依存性を示す測定結果である。
【図１５】図１４に示すダークスペクトルから得られるダークパターンを示す図である。
【図１６】この発明の実施の形態に従うダーク測定結果の露光時間依存性を示す測定結果を示す図である。
【図１７】この発明の実施の形態に従うダーク測定結果の露光時間依存性を示す別の測定結果を示す図である。
【図１８】この発明の実施の形態の変形例１に従う光学特性測定装置による測定例を示す図である。
【図１９】この発明の実施の形態の変形例１に従う光学特性測定装置の処理装置における制御構造を示す概略図である。
【図２０】この発明の実施の形態の変形例１に従う光学特性測定装置における測定手順を示すフローチャートである。
【図２１】この発明の実施の形態の変形例２に従う光学特性測定装置の処理装置における制御構造の要部を示す概略図である。
【発明を実施するための形態】
【００１９】
この発明の実施の形態について、図面を参照しながら詳細に説明する。なお、図中の同一または相当部分については、同一符号を付してその説明は繰返さない。
【００２０】
＜装置全体構成＞
図１は、この発明の実施の形態に従う光学特性測定装置１の外観図を示す図である。
【００２１】
図１を参照して、この発明の実施の形態に従う光学特性測定装置１は、各種の発光体（以下、「対象物」とも称す。）のスペクトルを測定する。さらに、光学特性測定装置１は、この測定したスペクトルに基づいて、対象物の明るさや色合いといった光学特性を算出するようにしてもよい。なお、明るさとは、対象物の輝度や光度などを意味し、色合いとは、対象物の色度座標、主波長、刺激純度、および相関色温度などを意味する。本実施の形態に従う光学特性測定装置１は、発光ダイオード（ＬＥＤ：Light Emitting Diode）やフラットパネルディスプレイ（ＦＰＤ：Flat Panel Display）などの測定に適用できる。
【００２２】
光学特性測定装置１は、測定器本体２と処理装置１００とを含む。測定器本体２には、光ファイバ４を介して、光取出部６が接続されている。光取出部６によって取り入れられた対象物から放射された光（以下「測定光」とも称す。）は、光ファイバ４を介して測定器本体２へ導かれる。
【００２３】
測定器本体２は、後述するように、対象物から測定器本体２に入射する測定光を分光し、それに含まれる各波長成分の強度に応じた検出結果（信号強度）を処理装置１００へ出力する。後述するように、測定器本体２は、その内部に、測定光を分光する分光器と、分光器によって分光された光を受光する光検出器とを含んでいる。特に、本実施の形態に従う光検出器は、分光器からの光の入射面より広い範囲の検出面を有している。また、処理装置１００は、光検出器による検出結果を補正した上で出力する。より具体的には、処理装置１００は、光検出器の検出面のうち、分光器からの光の入射面に対応する検出領域で検出されるスペクトルと、分光器からの光の入射面とは異なる検出領域で検出される信号強度とを独立して同時取得する。そして、処理装置１００は、スペクトルの各成分値から信号強度に基づいて算出した補正値を減じることで、迷光に起因する誤差成分および光検出器に流れる暗電流によるオフセット成分を除去する。このような処理を行なうことで、対象物からの測定光のスペクトルをより短時間かつ高精度に測定することができる。
【００２４】
＜測定器本体の構成＞
図２は、この発明の実施の形態に従う測定器本体２の概略の機能ブロック図である。図２を参照して、測定器本体２は、シャッター２１と、スリット２２と、カットフィルタ２３と、分光器２４と、光検出器２５とを含む。これらの構成要素は、筐体２６内に収納される。筐体２６の一部には、光取入口２０が形成されている。光取入口２０は、光ファイバ４と接続される。光ファイバ４によって導かれた測定光は、筐体２６内に入射し、所定の光軸Ａｘに沿って伝搬する。光取入口２０の側から順に、この光軸Ａｘに沿って、シャッター２１、スリット２２、カットフィルタ２３、および分光器２４が配置される。すなわち、測定光は、スリット２２およびカットフィルタ２３を通過した後に分光器２４に入射する。
【００２５】
シャッター２１は、筐体２６の外部から筐体２６内に入射する光を遮断する。すなわち、シャッター２１は、光検出器２５による検出結果の校正基準となるスペクトル（いわゆる、「ダークスペクトル」）を取得するために、筐体２６内に光が入射しない状態をつくる。一例として、シャッター２１は、光軸Ａｘに対して垂直方向に変位できるように構成されている。これにより、シャッター２１が光軸Ａｘ上に存在する場合（以下、「クローズ位置」とも称す。）には、筐体２６内へ入射する光は遮断される。なお、筐体２６内へ入射する光を遮断した状態で、光検出器２５で検出されるダークスペクトルを測定する操作を、「ダーク測定」とも称す。一方、この「ダーク測定」と区別するために、通常の対象物についてのスペクトルを測定する操作を「通常測定」とも称す。
【００２６】
一方、シャッター２１が光軸Ａｘから離れた位置に位置する場合（以下、「オープン位置」とも称す。）には、測定光は、筐体２６内に取込まれる。なお、図２には、シャッター２１を筐体２６内に設ける構成について例示したが、筐体２６の外部に設けてもよい。また、測定光を遮断する機構については、いずれの種類の構成を採用してもよい。
【００２７】
スリット２２は、所定の検出分解能を実現するために、測定光の光束径（大きさ）を調整する。一例として、スリット２２の各スリット幅は０．２ｍｍ〜０．０５ｍｍ程度に設定される。そして、スリット２２を通過後の測定光は、カットフィルタ２３へ入射する。なお、カットフィルタ２３は、スリット２２を通過後の測定光のフォーカス位置とほぼ一致する位置に配置される。
【００２８】
カットフィルタ２３は、筐体２６に取込まれた測定光が分光器２４に入射する光路である光軸Ａｘ上に配置される。カットフィルタ２３は、この測定光に含まれる成分波長のうち、所定の遮断波長αより短い波長の光を遮断する。すなわち、カットフィルタ２３は、所定の遮断波長αより長い波長をもつ光のみを透過させる。後述するように、この遮断波長αは、分光器２４の分光特性の下限値（波長ｆｍｉｎ）と一致させることが好ましい。
【００２９】
分光器２４は、光軸Ａｘ上に配置され、光軸Ａｘ上に沿って入射する測定光を成分波長に分光する。分光器２４が分光することで生じる光は、光検出器２５へ導かれる。分光器２４は、一例として、ブレーズドホログラフィック型と呼ばれる凹面回折格子（グレーティング）からなる。この凹面回折格子は、入射する測定光を所定の波長間隔の回折光として、対応する方向に反射する。そのため、分光器２４で分光された光（回折光）は、空間的な広がりをもって、光検出器２５へ向けて放射される。
【００３０】
なお、分光器２４としては、上述したブレーズドホログラフィック型の凹面回折格子に代えて、フラットフォーカス型の凹面回折格子といった任意の回折格子を採用することができる。
【００３１】
光検出器２５は、分光器２４によって分光された測定光（回折光）を受光する。そして、光検出器２５は、受光した測定光に含まれる各成分波長の強度を検出する。この光検出器２５によって検出された強度は、各成分波長に対応付けられている。そのため、光検出器２５からの検出信号は、測定光のスペクトルに相当する。光検出器２５は、代表的にフォトダイオードなどの複数の検出素子を、アレイ状に配置したフォトダイオードアレイ（ＰＤＡ：Photo Diode Array）からなる。あるいは、フォトダイオードなどの複数の検出素子を、マトリックス状に配置されたＣＣＤ（Charged Coupled Device）であってもよい。一例として、光検出器２５は、３８０ｎｍ〜９８０ｎｍの範囲で５１２個（チャンネル）の成分波長の強度を示す信号を出力可能に構成される。また、光検出器２５は、検出された光強度の信号をデジタル信号として出力するためのＡ／Ｄ（Analog to Digital）変換器や周辺回路を含む。
【００３２】
＜補正処理の概要＞
以下、図１、図３および図４を参照して、本実施の形態に従う光学特性測定装置１における補正処理について説明する。光検出器２５からの検出結果は、（１）測定光の測定すべきスペクトル、（２）筐体内部で発生する迷光に起因する誤差成分、（３）光検出器２５に流れる暗電流によるオフセット成分、および、（４）その他の誤差成分、を含む。
【００３３】
迷光とは、筐体２６内部で乱反射した光、分光器２４表面で拡散反射した光、および分光器２４で生じた測定次数以外の次数をもつ光を総称するものである。
【００３４】
また、光検出器２５は、ＣＣＤなどの半導体デバイスからなり、このような半導体デバイスを駆動する際には暗電流が流れる。この暗電流によって、光検出器２５からの検出結果には、オフセット成分が生じ得る。また、この暗電流の大きさは、周囲温度の影響を受けやすく、測定環境に起因して時間的に変動し得る。
【００３５】
そこで、本実施の形態に従う光学特性測定装置１では、光検出器２５の検出面に、分光器２４からの回折光が入射する領域と、当該回折光が入射しない領域とを設ける。そして、処理装置１００が、回折光が入射する領域で検出された検出結果を、回折光が入射しない領域で検出された検出結果を用いて補正する。すなわち、通常測定の実行毎に、このような補正を行なうことで、迷光による影響および暗電流によるオフセット成分を動的に補正することができる。そのため、迷光による影響および／または暗電流によるオフセット成分が時間的に変動した場合であっても、有効に補正できる。
【００３６】
図３は、この発明の実施の形態に従う光検出器２５の検出面を示す模式図である。図３を参照して、光検出器２５（図２）は、入射する測定光のうち、波長ｆｍｉｎから波長ｆｍａｘの範囲の成分波長を分光器２４に導くように光学設計されているものとする。
【００３７】
ここで、カットフィルタ２３の遮断波長αは、波長ｆｍｉｎと一致するように設定されているものとする。この場合、波長ｆｍｉｎ（遮断波長α）より短い成分波長は、分光器２４に入射しないことになる。そのため、光検出器２５においても、波長ｆｍｉｎ（遮断波長α）より短い成分波長は入射しない。
【００３８】
そこで、光検出器２５の検出面のうち、波長ｆｍｉｎから波長ｆｍａｘの範囲（以下、「測定波長域」とも称す。）に対応する領域を検出領域２５ａに設定する。すなわち、検出領域２５ａは、分光器２４からの光の入射面に対応する領域である。また、検出領域２５ａに引き続く短波長側に所定範囲（以下、「補正波長域」とも称す。）の補正領域２５ｂに設定する。なお、波長ｆｍｉｎより短波長側の全範囲を補正領域２５ｂに設定してもよいが、測定光の影響を避けるためには、検出領域２５ａと補正領域２５ｂとの間を所定の波長幅だけ離すことが好ましい。
【００３９】
再度図１を参照して、筐体２６の内部で発生する迷光は、一様に拡散しているとみなすことができる。そのため、光検出器２５の検出面に入射する迷光は、ほぼ均一と見なすことができる。すなわち、検出領域２５ａおよび補正領域２５ｂを構成する複数の検出素子の各々に入射する迷光の強度は、互いにほぼ同一である。
【００４０】
また、検出領域２５ａおよび補正領域２５ｂは、共通の光検出器２５上に設けられる。そのため、検出領域２５ａおよび補正領域２５ｂによる検出結果に含まれる暗電流によるオフセット成分についても、ほぼ一様とみなすことができる。
【００４１】
以上のような考察によれば、光検出器２５からは、図４に示すような検出結果が出力される。
【００４２】
図４は、この発明の実施の形態に従う光学特性測定装置１の光検出器２５から出力される検出結果の一例を示す概念図である。
【００４３】
図４を参照して、光検出器２５から出力される検出結果は、迷光に起因する誤差成分４０を含む。この誤差成分４０は、検出可能な波長範囲に亘って一様の信号強度をもつとみなすことができる。また、検出結果は、光検出器２５に含まれる複数の検出素子を流れる暗電流によるオフセット成分５０を含む。このオフセット成分５０は、周囲温度に依存するとともに、時間的にも変動する。
【００４４】
また、測定波長域では、測定光のスペクトルに応じた信号強度が現れる。一方、補正波長域では、測定光に応じた信号強度は現れない。
【００４５】
そのため、検出領域２５ａ（図３）で検出された測定スペクトルの各成分値から補正領域２５ｂ（図３）で検出された信号強度に基づいて算出される補正値を減じることで、迷光に起因する誤差成分および暗電流によるオフセット成分を取り除くことができる。その結果、測定光の本来のスペクトルを取得することができる。なお、複数の検出素子を含むように補正領域２５ｂを設定することが好ましく、この場合には、複数の信号強度が検出
できる。そこで、補正値としては、それぞれの検出素子で検出された信号強度の代表値（典型的には、平均値あるいは中間値）を用いることが好ましい。
【００４６】
また、本実施の形態に従う光学特性測定装置では、筐体２６内に光が入射しない状態において光検出器２５で検出されるダークスペクトルに対しても、上述したように、迷光に起因する誤差成分および暗電流によるオフセットを取り除く補正をした上で、基準値として格納する。この基準値として格納する補正後のダークスペクトルは、（１）測定光の測定値、（２）筐体内部で発生する迷光に起因する誤差成分、および（３）光検出器２５に流れる暗電流によるオフセット成分を含まない。すなわち、この補正後のダークスペクトルは、検出素子のバラツキなどの各装置固有の誤差要因を反映したものとなる。
【００４７】
したがって、各測定において、光検出器２５で検出された測定スペクトルから、補正領域２５ｂ（図３）で検出された信号強度、および補正後のダークスペクトルをそれぞれ減じることで、測定光のスペクトルを高精度に測定することができる。また、毎回の通常測定においては、迷光による誤差成分および／または暗電流によるオフセット成分を測定するためだけに、シャッター２１を開閉する必要がないので、測定に要する時間を短縮することができる。
【００４８】
＜処理装置の構成＞
再度図１を参照して、処理装置１００は、代表的にコンピュータによって構成される。より具体的には、処理装置１００は、ＦＤ（Flexible Disk）駆動装置１１１およびＣＤ−ＲＯＭ（Compact Disk-Read Only Memory)駆動装置１１３を搭載するコンピュータ本体１０１と、モニタ１０２と、キーボード１０３と、マウス１０４とからなる。そして、コンピュータ本体１０１が予め格納されたプログラムを実行することで、上述した補正処理を提供する。
【００４９】
図５は、この発明の実施の形態に従う処理装置１００のハードウェア構成を示す概略構成図である。図５を参照して、コンピュータ本体１０１は、図１に示すＦＤ駆動装置１１１およびＣＤ−ＲＯＭ駆動装置１１３に加えて、相互にバスで接続された、ＣＰＵ（Central Processing Unit）１０５と、メモリ１０６と、固定ディスク１０７と、通信インターフェイス部（Ｉ／Ｆ）１０９とを含む。
【００５０】
ＦＤ駆動装置１１１にはＦＤ１１２が装着可能であり、ＣＤ−ＲＯＭ駆動装置１１３にはＣＤ−ＲＯＭ１１４が装着可能である。本実施の形態に従う処理装置１００は、ＣＰＵ１０５がメモリ１０６などのコンピュータハードウェアを用いて、プログラムを実行することで実現される。一般的に、このようなプログラムは、ＦＤ１１２やＣＤ−ＲＯＭ１１４などの記録媒体に格納されて、あるいはネットワークなどを介して流通する。そして、このようなプログラムは、ＦＤ駆動装置１１１やＣＤ−ＲＯＭ駆動装置１１３などにより記録媒体から読取られて、記憶装置である固定ディスク１０７に一旦格納される。さらに、固定ディスク１０７からメモリ１０６に読出されて、ＣＰＵ１０５により実行される。
【００５１】
ＣＰＵ１０５は、プログラムされた命令を順次実行することで、各種の演算を実施する演算処理部である。メモリ１０６は、ＣＰＵ１０５でのプログラム実行に応じて、各種の
情報を一時的に記憶する。
【００５２】
通信インターフェイス部１０９は、コンピュータ本体１０１と測定器本体２（図１）との間のデータ通信を仲介するための装置であり、測定器本体２から送信された測定データを示す電気信号を受信してＣＰＵ１０５が処理可能なデータ形式に変換するとともに、ＣＰＵ１０５が出力した指令などを電気信号に変換して測定器本体２へ送出する。
【００５３】
コンピュータ本体１０１に接続されるモニタ１０２は、ＣＰＵ１０５によって算出される対象物の明るさや色合いなどの算出結果を表示するための表示装置であって、一例としてＬＣＤ（Liquid Crystal Display）やＣＲＴ（Cathode Ray Tube）などから構成される。
【００５４】
マウス１０４は、クリックやスライドなどの動作に応じたユーザからの指令を受付ける。キーボード１０３は、入力されるキーに応じたユーザからの指令を受付ける。
【００５５】
また、コンピュータ本体１０１には、必要に応じて、プリンタなどの他の出力装置が接続されてもよい。
【００５６】
＜測定手順＞
本実施の形態に従う光学特性測定装置１における補正処理についての理解をより容易にするために、まず、本発明の関連技術に係る測定手順について説明する。
【００５７】
（１．関連技術に係る処理手順）
図６は、この発明の関連技術に係る光学特性測定装置における測定手順を示すフローチャートである。なお、図６では、通常測定毎にダーク測定を実行する場合の処理手順を示す。
【００５８】
図６を参照して、処理装置は、測定開始指令を与えられたか否かを判断する（ステップＳ３００）。測定開始指令が与えられていない場合（ステップＳ３００においてＮＯの場合）には、測定開始指令が与えられるまで待つ。なお、測定開始指令が与えられる前に、対象物から放射される光が光取出部に取り込まれるように、対象物および／または光取出部の位置合わせが実行される。
【００５９】
一方、測定開始指令が与えられた場合（ステップＳ３００においてＹＥＳの場合）には、まず、ステップＳ３０２およびステップＳ３０４に示すダーク測定が実行される。具体的には、処理装置がシャッターをクローズ位置に駆動する（ステップＳ３０２）。すなわち、筐体内への光の入射が遮断された状態が形成される。続いて、処理装置は、光検出器により検出されたスペクトルをダークスペクトルとして取得する（ステップＳ３０４）。
【００６０】
続いて、ステップＳ３０６〜Ｓ３１０に示す通常測定が実行される。具体的には、処理装置がシャッターをオープン位置に駆動する（ステップＳ３０６）。すなわち、測定光が筐体内へ取り込まれる。続いて、処理装置は、光検出器により検出されたスペクトルを測定スペクトルとして取得する（ステップＳ３０８）。さらに、処理装置は、ステップＳ３０８において取得した測定スペクトルの各成分値からステップＳ３０４において取得したダークスペクトルの対応する成分値を減じることで、出力スペクトルを算出する（ステップＳ３１０）。この出力スペクトルが検出結果として出力される。
【００６１】
その後、測定中止指令が与えられたか否かを判断する（ステップＳ３１２）。測定中止指令が与えられていない場合（ステップＳ３１２においてＮＯの場合）には、処理はステップＳ３００に戻る。
【００６２】
一方、測定中止指令が与えられた場合（ステップＳ３１２においてＹＥＳの場合）には、処理は終了する。
【００６３】
（２．本実施の形態に従う処理手順）
本実施の形態に従う光学特性測定装置１では、一連の通常測定に先立って、ダーク測定が実行される。そのダーク測定の実行後、対象物についての通常測定が実行される。以下、図７および図８を参照して、その処理手順について説明する。
【００６４】
図７は、この発明の実施の形態に従う光学特性測定装置１におけるダーク測定の処理手順を示すフローチャートである。図８は、この発明の実施の形態に従う光学特性測定装置１における通常測定の処理手順を示すフローチャートである。
【００６５】
図７を参照して、処理装置１００は、ダーク測定開始指令を与えられたか否かを判断する（ステップＳ１００）。ダーク測定開始指令が与えられていない場合（ステップＳ１００においてＮＯの場合）には、ダーク測定開始指令が与えられるまで待つ。
【００６６】
一方、ダーク測定開始指令が与えられた場合（ステップＳ１００においてＹＥＳの場合）には、処理装置１００は、シャッター２１をクローズ位置に駆動する（ステップＳ１０２）。すなわち、筐体２６内への光の入射が遮断された状態が形成される。続いて、処理装置１００は、光検出器２５の検出領域２５ａで検出されたスペクトル（ダークスペクトル）と、光検出器２５の補正領域２５ｂで検出された信号強度とを取得する（ステップＳ１０４）。続いて、処理装置１００は、補正領域２５ｂで検出された信号強度に基づいて、補正値を算出する（ステップＳ１０６）。より具体的には、補正領域２５ｂで検出された複数の信号強度の平均値が補正値として算出される。
【００６７】
さらに、処理装置１００は、ステップＳ１０４において取得された検出領域２５ａで検出されたダークスペクトルに含まれる各成分値（信号強度）から、ステップＳ１０６において算出した補正値を（一律に）減じることで補正ダークスペクトルを算出する（ステップＳ１０８）。すなわち、処理装置１００は、補正領域２５ｂで検出された信号強度に基づいて算出される補正値で、ダークスペクトルを補正することで補正ダークスペクトルを算出する。さらに、処理装置１００は、ステップＳ１０８において算出した補正ダークスペクトルを格納する（ステップＳ１１０）。
【００６８】
その後、処理装置１００は、シャッター２１をオープン位置に駆動する（ステップＳ１１２）。これにより、光学特性測定装置１は測定状態になる。そして、ダーク測定は終了する。
【００６９】
次に、図８を参照して、処理装置１００は、測定開始指令を与えられたか否かを判断する（ステップＳ２００）。測定開始指令が与えられていない場合（ステップＳ２００においてＮＯの場合）には、測定開始指令が与えられるまで待つ。なお、測定開始指令が与えられる前に、対象物から放射される光が光取出部６に取り込まれるように、対象物および／または光取出部６の位置合わせが実行される。
【００７０】
一方、測定開始指令が与えられた場合（ステップＳ２００においてＹＥＳの場合）には、処理装置１００は、光検出器２５の検出領域２５ａで検出された測定スペクトルと、光検出器２５の補正領域２５ｂで検出された信号強度とを取得する（ステップＳ２０２）。なお、先に実行されたダーク測定の実行後において、シャッター２１がオープン位置に駆動されるので、光学特性測定装置１は、遮断部に相当するシャッター２１を開放した測定状態となっている。
【００７１】
続いて、処理装置１００は、補正領域２５ｂで検出された信号強度に基づいて、補正値を算出する（ステップＳ２０４）。より具体的には、補正領域２５ｂで検出された複数の信号強度の平均値が補正値として算出される。
【００７２】
さらに、処理装置１００は、ステップＳ２０２において取得された検出領域２５ａで検出された測定スペクトルに含まれる各成分値（信号強度）から、ステップＳ２０４において算出した補正値を（一律に）減じることで補正測定スペクトルを算出する（ステップＳ２０６）。すなわち、処理装置１００は、補正領域２５ｂで検出された信号強度に基づいて算出される補正値で、測定スペクトルを補正することで補正測定スペクトルを算出する。さらに、処理装置１００は、ステップＳ２０６において算出した補正測定スペクトルの各成分値から、先に実行したダーク測定（ステップＳ１０８）において算出した補正ダークスペクトルの対応する成分値を減じることで、出力スペクトルを算出する（ステップＳ２０８）。この出力スペクトルが検出結果として出力される。
【００７３】
その後、測定中止指令が与えられたか否かを判断する（ステップＳ２１０）。測定中止指令が与えられていない場合（ステップＳ２１０においてＮＯの場合）には、処理はステップＳ２００に戻る。
【００７４】
一方、測定中止指令が与えられた場合（ステップＳ２１０においてＹＥＳの場合）には、処理は終了する。
【００７５】
以上のように、本実施の形態に従う光学特性測定装置１においては、各通常測定においてダーク測定を行なう必要がない。そのため、通常測定に要する時間を短縮することができる。
【００７６】
＜制御構造＞
図９は、この発明の実施の形態に従う光学特性測定装置１の処理装置１００における制御構造を示す概略図である。
【００７７】
図９を参照して、本実施の形態に従う処理装置１００は、バッファ２０２，２１２，２２０，２４０と、補正値算出部２０４と、セレクタ２１４，２１８，２２２，２２６，２３２と、減算部２１６，２２４と、メモリ２３０とを含む。なお、図９には、一例として、測定波長域に対応する検出領域２５ａ（図３）がＮ個の検出素子を有し、測定波長域に対応する補正領域２５ｂが４個の検出素子を有する場合に対応する制御構造を示す。
【００７８】
光検出器２５の検出領域２５ａで検出された値（各波長の信号強度）は、バッファ２１２に一時的に格納される。また、光検出器２５の補正領域２５ｂで検出された値（信号強度）は、バッファ２０２に一時的に格納される。バッファ２１２は、検出領域２５ａに含まれる検出素子の数に対応して、少なくとも区画されたＮ個の領域（１ｃｈ，２ｃｈ，…，Ｎｃｈ）をもつ。また、バッファ２１２は、補正領域２５ｂに含まれる検出素子の数に対応して、少なくとも区画された４個の領域（Ａｃｈ，Ｂｃｈ，Ｃｃｈ，Ｄｃｈ）をもつ。なお、バッファ２０２および２１２に格納されるデータは、光検出器２５の検出周期（たとえば、数ｍｓｅｃ〜数１０ｍｓｅｃ）で順次更新される。また、チャンネル（ｃｈ）は、光検出器２５で検出される波長に対応付けられている。
【００７９】
補正値算出部２０４は、バッファ２０２に格納される補正領域２５ｂで検出された信号強度に基づいて、補正値ΔＭを算出する。具体的には、補正値算出部２０４は、バッファ２０２に格納されている４個の信号強度の平均値（もしくは、中間値）を補正値ΔＭとして算出する。
【００８０】
セレクタ２１４および減算部２１６は、検出領域２５ａで検出されたダークスペクトルもしくは測定スペクトルの各成分値から補正値ΔＭを減じる。より具体的には、セレクタ２１４は、クロック信号ＣＬＯＣＫに従って、バッファ２１２に格納されている各波長（チャンネル）の信号強度を順次読出して、減算部２１６へ出力する。減算部２１６は、セレクタ２１４から入力される信号強度から補正値ΔＭを減じて、その結果をセレクタ２１８へ出力する。したがって、減算部２１６からは、バッファ２１２に格納される各波長の信号強度に対して、補正値ΔＭが減じられた結果が出力される。
【００８１】
セレクタ２１８は、光学特性測定装置１の状態（ダーク測定あるいは通常測定）およびシャッター２１の開閉状態などに応じて、取得されたスペクトルがダークスペクトルであるか、あるいは測定スペクトルであるかを判断する。そして、セレクタ２１８は、セレクタ２１４と共通のクロック信号ＣＬＯＣＫに従って、減算部２１６から出力される結果値をバッファ２２０およびメモリ２３０のいずれか一方に順次格納する。
【００８２】
バッファ２２０は、補正測定スペクトルを一時的に格納し、メモリ２３０は、補正ダークスペクトルを不揮発的に格納する。なお、補正ダークスペクトルは、ダーク測定の完了後、新たなダーク測定が実行されるまでの間、通常測定において繰り返し用いられるので、不揮発的に格納されることが好ましい。
【００８３】
すなわち、ダーク測定時には、バッファ２１２にダークスペクトルを示す各波長の信号強度が格納される。この場合には、セレクタ２１８は、減算部２１６によって一律に補正値ΔＭを減じることで得られる結果を、メモリ２３０に順次格納する。一方、通常測定時には、バッファ２１２に測定スペクトルを示す各波長の信号強度が格納される。この場合には、セレクタ２１８は、減算部２１６によって一律に補正値ΔＭを減じることで得られる結果を、バッファ２２０に順次格納する。すなわち、バッファ２１２に格納されるスペクトルの各波長の信号強度をＡ（ｉ）｛但し、１≦ｉ≦ｎ｝とすると、バッファ２２０または２３０に格納される補正後のスペクトルＢ（ｉ）は、以下のように表わすことができる。
【００８４】
Ｂ（ｉ）＝Ａ（ｉ）−ΔＭ｛但し、１≦ｉ≦ｎ｝
また、セレクタ２１４とセレクタ２１８とは、クロック信号ＣＬＯＣＫに従って同期する。そのため、たとえば、バッファ２１２の１ｃｈから読出された信号強度は、バッファ２２０の１ｃｈまたはメモリ２３０の１ｃｈに格納される。
【００８５】
セレクタ２２２，２２６，２３２および減算部２２４は、補正測定スペクトルの各成分値から補正ダークスペクトルの対応する成分値を減じて出力スペクトルを算出する。より具体的には、セレクタ２２２は、クロック信号ＣＬＯＣＫに従って、バッファ２２０に格納されている補正測定スペクトルの各波長（チャンネル）の信号強度を順次読出して、減算部２２４へ出力する。同様に、セレクタ２３２は、セレクタ２２２と共通のクロック信号ＣＬＯＣＫに従って、メモリ２３０に格納されている補正ダークスペクトルの各波長（チャンネル）の信号強度を順次読出して、減算部２２４へ出力する。減算部２２４は、セレクタ２２２から入力される信号強度から、セレクタ２３２から入力される信号強度を減じて、その結果をセレクタ２２６へ出力する。また、セレクタ２２２とセレクタ２３２とは、クロック信号ＣＬＯＣＫに従って同期する。
【００８６】
セレクタ２２６は、セレクタ２２２および２３２と共通のクロック信号ＣＬＯＣＫに従って、減算部２２４から出力される結果値をバッファ２４０に順次格納する。
【００８７】
したがって、バッファ２４０には、補正測定スペクトルの各成分値から補正ダークスペクトルの対応する成分値を減じた結果が格納される。すなわち、バッファ２２０に格納される補正測定スペクトルの各波長の信号強度をＳ（ｉ）｛但し、１≦ｉ≦ｎ｝とし、メモリ２３０に格納される補正ダークスペクトルの各波長の信号強度をＤ（ｉ）｛但し、１≦ｉ≦ｎ｝とすると、バッファ２４０に格納される出力スペクトルＭ（ｉ）は、以下のように表わすことができる。
【００８８】
Ｍ（ｉ）＝Ｓ（ｉ）−Ｄ（ｉ）｛但し、１≦ｉ≦ｎ｝
そして、このバッファ２４０に格納される出力スペクトルが測定結果として出力される。
【００８９】
図９に示す制御構造は、典型的に、ＣＰＵ１０５（図５）が、固定ディスク１０７（図５）などに格納されているプログラムをメモリ１０６（図５）に展開して実行することで提供される。なお、図９に示す制御構造の一部もしくは全部をハードウェアによって提供してもよい。
【００９０】
また、図９には、波長毎の信号強度について、直列的に演算処理を採用した構成について例示したが、スペクトル同士を一括して減算するといった並行的な演算処理を採用してもよい。さらに、上述のような算術演算処理が実現できるのであれば、いずれの演算処理を採用してもよい。
【００９１】
＜測定例＞
上述した本実施の形態に従う光学特性測定装置１の迷光などに起因する誤差に対する低減効果について、実際に測定した結果の一例を以下に示す。
【００９２】
迷光の影響を評価する方法として、日本工業規格ＪＩＳ  Ｚ８７２４：１９９７「色の測定方法−光源色」には、分光測光器の「迷光」の性能の条件が規定されている。このＪＩＳ規格に従って、本実施の形態に従う補正処理に係る迷光による誤差の排除性能について評価を行った。また、比較対象として、本実施の形態に従う補正処理を適用しなかった場合の測定結果についても示す。なお、補正処理を適用しない場合であっても、上述の図６に示す測定手順と同様に、光検出器２５の検出値から暗電流によるオフセット成分を除く補正処理は実行した。
【００９３】
上記ＪＩＳ規格においては、測定光の光源としてタングステン電球を用いて迷光を評価することが規定されている。その具体的な手順としては、まず、タングステン電球から放射された光を入射した場合における光検出器からの出力（レファレンス値）を取得する。次に、透過限界波長がそれぞれ、５００±５（ｎｍ），５６０±５（ｎｍ），６６０±５（ｎｍ）であるシャープカットフィルタを、タングステン電流から放射された光の入射光路に挿入した場合に光検出器からの出力をそれぞれ取得する。なお、評価される出力は、それぞれ、４５０（ｎｍ），５００（ｎｍ），６００（ｎｍ）における値である。最終的に、それぞれの出力のレファレンス値に対する比率を、迷光を評価する値（迷光率）として算出する。
【００９４】
なお、本測定例においては、透過限界波長がそれぞれ、４９５（ｎｍ），５５０（ｎｍ），６６５（ｎｍ）の３つのシャープカットフィルタを用いて評価した。
【００９５】
図１０は、この発明の実施の形態に従う光学特性測定装置１についての迷光評価の一例を示す図である。図１１は、図１０に示すスペクトルの部分的な拡大図を示す。
【００９６】
図１０には、何らのカットフィルタも挿入していない状態（レファレンス）と、それぞれのシャープカットフィルタを挿入した状態とについての測定例を示す。図１０に示すように、それぞれシャープカットフィルタを挿入することで、対応する透過限界波長より短い波長が遮断されていることがわかる。
【００９７】
図１１（ａ）には、透過限界波長が４９５（ｎｍ）であるシャープカットフィルタを挿入した場合において、補正処理の有無による、４５０（ｎｍ）近傍の信号強度の違いを示す。また、図１１（ｂ）には、透過限界波長が５５０（ｎｍ）であるシャープカットフィルタを挿入した場合において、補正処理の有無による、５５０（ｎｍ）近傍の信号強度の違いを示す。また、図１１（ｃ）には、透過限界波長が６６５（ｎｍ）であるシャープカットフィルタを挿入した場合において、補正処理の有無による、６００（ｎｍ）近傍の信号強度の違いを示す。
【００９８】
いずれに示す例においても、本実施の形態に従う補正処理を適用することで、出力がゼロ値に近づいていることが分かる。
【００９９】
以上のような結果をまとめると、以下に示す表のようになる。なお、表中における「低減率」は、補正処理を適用しない場合の迷光率に対する補正処理が適用された場合の迷光率の大きさの比を示す。
【０１００】
【表１】
2010117343.tif 000003
【０１０１】
上表に示されるように、本実施の形態に従う補正処理を適用することで、迷光率を半分以下に低減できることがわかる。
【０１０２】
＜本実施の形態における作用効果＞
この発明の実施の形態によれば、光検出器２５の検出面に、分光器２４で分光された光が入射する領域（検出領域２５ａ）と、分光器２４で分光された光が入射しない領域（補正領域２５ｂ）が設けられる。測定時において、検出領域２５ａおよび補正領域２５ｂからそれぞれスペクトルおよび強度値が同時に取得される。そして、補正領域２５ｂで検出された信号強度に基づいて補正値が算出される。さらに、検出領域２５ａで検出されたスペクトルの各成分値（各波長の信号強度）からこの算出された補正値が減じられることで、補正後のスペクトルが算出される。
【０１０３】
上述のような補正値は、筐体内部で発生する迷光に起因する誤差成分と、光検出器２５に流れる暗電流によるオフセット成分とを反映した値となる。そのため、検出領域２５ａで検出されたスペクトルをこのような補正値で補正することにより、本来の測定光のスペクトルを正確に取得することができる。
【０１０４】
また、この発明の実施の形態によれば、同一の光検出器２５の上に設けられた検出領域２５ａおよび補正領域２５ｂから、それぞれスペクトルおよび強度値が同時に取得される。そのため、筐体内部で発生する迷光に起因する誤差成分、および／または、光検出器２５に流れる暗電流によるオフセット成分が時間的に変動する場合であっても、これらの誤差成分を確実に取り除くことができる。すなわち、周囲温度などの環境要因による外乱に対する誤差をより確実に取り除くことができる。
【０１０５】
さらに、筐体内部で発生する迷光に起因する誤差成分、および／または、光検出器２５に流れる暗電流によるオフセット成分を取得するために、ダーク測定を行なう必要がない。そのため、測定毎にシャッターを開閉する必要がないので、測定に要する時間を短縮することができる。
【０１０６】
また、この発明の実施の形態によれば、上述のような補正を行なった後のダークスペクトル（補正ダークスペクトル）を用いてさらに補正を行なう。そのため、測定結果として出力されるスペクトルは、迷光に起因する誤差成分および暗電流によるオフセット成分以外の誤差成分が取り除かれたものとなる。そのため、対象物のスペクトルをより高精度に測定することができる。
【０１０７】
［変形例１］
上述の実施の形態においては、通常測定前に、ダーク測定を行なってダークスペクトルおよび補正ダークスペクトルを予め取得する構成について例示した。本変形例では、このダーク測定を省略できる構成について例示する。
【０１０８】
＜装置全体構成＞
図１２は、この発明の実施の形態の変形例１に従う測定器本体２＃の概略の機能ブロック図である。図１２に示す測定器本体２＃は、図２に示す測定器本体２からシャッター２１を取除いたものに相当する。測定器本体２＃のその他の部位は、測定器本体２と同様であるので、詳細な説明は繰返さない。
【０１０９】
＜ダークスペクトルの特性＞
まず、光検出器２５のダークスペクトルの特性について実際に測定した結果について例示する。
【０１１０】
（１．温度依存性）
図１３は、この発明の実施の形態に従うダーク測定結果の温度依存性を示す図である。図１３に示す測定結果は、恒温層内に測定器本体を配置し、恒温層内の温度を変化させた場合に得られた出力の時間的変化を示す。より具体的には、恒温層内の温度を当初１０℃に設定しておき、測定開始から３０分経過後に、恒温層内の温度を２０℃に変更した。また、図１３には、ダークスペクトル（補正処理無）および補正ダークスペクトル（補正処理有）の両方の測定結果を示す。なお、光検出器２５の露光時間は２０ｓｅｃとした。ダークスペクトルおよび補正ダークスペクトルのスペクトル幅は２５０〜７５０ｎｍとし、これらのスペクトルにおける５０ｎｍ毎の出力値の平均値を測定結果とした。
【０１１１】
図１３に示すように、ダークスペクトル（補正処理無）については、周囲温度変化の影響を受けて出力値が変動していることがわかる。これに対して、補正ダークスペクトル（補正処理有）については、周囲温度変化の影響をほとんど受けていないことがわかる。
【０１１２】
図１４は、この発明の実施の形態に従うダークスペクトルの温度依存性を示す測定結果である。図１５は、図１４に示すダークスペクトルから得られるダークパターンを示す図である。
【０１１３】
図１４（ａ）には、周囲温度が１０℃の場合のダークスペクトルを示し、図１４（ｂ）には、周囲温度が２０℃の場合のダークスペクトルを示し、図１４（ｃ）には、周囲温度が３０℃の場合のダークスペクトルを示す。なお、光検出器２５の露光時間は、図１３と同じく２０ｓｅｃとした。
【０１１４】
図１４（ａ）〜図１４（ｃ）に示すダークスペクトルを比較すると、同一の波長に対応する振幅の絶対値が異なっていることがわかる。すなわち、ダークスペクトルは、周囲温度によりその特性が影響を受けていることがわかる。
【０１１５】
図１５（ａ）〜図１５（ｃ）は、図１４（ａ）〜図１４（ｃ）に示されるそれぞれのダークスペクトルの各成分値（各波長の信号強度）を、対応するダークスペクトルの最も短い波長の成分値（信号強度）で除算した結果を示す。すなわち、図１５（ａ）〜図１５（ｃ）は、図１４（ａ）〜図１４（ｃ）のダークスペクトルを規格化した波長特性（実際の振幅を示すダークスペクトルとは区別するために、「ダークパターン」と称す。）を示す。
【０１１６】
図１５（ａ）〜図１５（ｃ）に示すダークパターンを比較すると、ほぼ同一の変化特性を有していることがわかる。
【０１１７】
上述に示す測定結果によれば、光検出器２５が出力するダークスペクトルは、周囲温度に依存してその特性を変化させるものの、ダークパターンは、周囲温度によらずほぼ同一の特性を示すといえる。
【０１１８】
（２．露光時間依存性）
図１６は、この発明の実施の形態に従うダーク測定結果の露光時間依存性を示す測定結果を示す図である。図１７は、この発明の実施の形態に従うダーク測定結果の露光時間依存性を示す別の測定結果を示す図である。
【０１１９】
図１６に示す測定結果は、光検出器２５の周囲温度を一定に維持した状態で、露光時間を２００ｍｓｅｃおよび２０００ｍｓｅｃのそれぞれに設定した場合に得られたダークスペクトルを示す。
【０１２０】
図１６に示すように、露光時間が長くなるほど、光検出器２５に入射する光エネルギーの量が増大するため、測定されるダークスペクトルの振幅も大きくなっていることがわかる。
【０１２１】
次に、図１７（ａ）には、光検出器２５の露光時間が２０００ｍｓｅｃの場合のダークスペクトルを示し、図１７（ｂ）には、光検出器２５の露光時間が２００ｍｓｅｃの場合のダークスペクトルを示し、図１７（ｃ）には、光検出器２５の露光時間が２０ｍｓｅｃの場合のダークスペクトルを示す。なお、いずれの場合についても、光検出器２５の周囲温度は一定とした。
【０１２２】
図１７（ａ）〜図１７（ｃ）に示すダークスペクトルを比較すると、露光時間に依存して振幅の大きさが変動していることがわかる。なお、図１７（ｂ）および図１７（ｃ）に示すように、相対的に露光時間が短くなると、検出される信号強度の絶対値自体が小さくなるので、スペクトルの特性が明瞭には現れていない。
【０１２３】
上述に示す測定結果によれば、光検出器２５が出力するダークスペクトルは、露光時間に依存してその特性を変化させるといえる。なお、ダークスペクトルは、主として、光検出器２５の出力に含まれる暗電流に依存するものである。そして、光検出器２５の暗電流は、光検出器２５が活性化している期間、すなわち蓄積する電荷の量に依存する。そのため、原理的には、ダークスペクトルの振幅は、光検出器２５の露光時間の対数値に比例するといえる。
【０１２４】
＜補正処理の概要＞
本変形例に従う光学特性測定装置１Ａは、上述の実施の形態に従う光学特性測定装置１と同様に、補正測定スペクトルの各成分値から補正ダークスペクトルの対応する成分値を減じることで、出力スペクトルを算出する。
【０１２５】
図１８は、この発明の実施の形態の変形例１に従う光学特性測定装置１Ａによる測定例を示す図である。図１８には、約３８０ｎｍを最短波長とする測定光を対象とした場合の測定例を示す。すなわち、測定光の最短波長より短い波長域では、迷光補正後の測定結果（補正測定スペクトルｓｉｇｎａｌ’）はゼロとなるべきであるが、実際には、上述したような種々の要因によって、ゼロとはならない。そのため、補正測定スペクトルｓｉｇｎａｌ’を補正ダークスペクトルｄａｒｋ’で補正することで、より本来の測定値を反映した結果（ｓｉｇｎａｌ’−ｄａｒｋ’）を得ることができる。
【０１２６】
本変形例に示す光学特性測定装置は、上述のような算出処理に必要な補正ダークスペクトルを、ダーク測定を行なうことなく動的に決定する。これにより、より短時間に通常測定を開始することができる。
【０１２７】
より具体的には、光検出器２５のノイズ特性を示す、補正ダークパターンを予め用意しておき、この補正ダークパターンに通常測定時に測定された振幅を乗じて、補正ダークスペクトルを決定（推定）する。このように決定される補正ダークパターンは、通常測定時の周囲温度を反映したものとなる。上述したように、補正ダークスペクトルの振幅（信号強度）は、露光時間に応じて変動するために、本変形例においては、光検出器２５において設定可能な複数の露光時間に対応付けて、複数の補正ダークパターンを用意する構成を採用する。すなわち、各通常測定において、光検出器２５に設定されている露光時間に対応する１つの補正ダークパターンが選択され、この選択された補正ダークパターンに基づいて、補正ダークスペクトルが決定される。
【０１２８】
なお、後述するように、共通の補正ダークパターンを用意しておき、通常測定時の周囲温度および露光時間を反映するように、補正ダークスペクトルを決定してもよい。
【０１２９】
＜制御構造＞
図１９は、この発明の実施の形態の変形例１に従う光学特性測定装置の処理装置１００Ａにおける制御構造を示す概略図である。
【０１３０】
図１９を参照して、本変形例に従う処理装置１００Ａは、図９に示す処理装置１００に比較して、補正ダークパターン格納部２６０と、セレクタ２６２，２６８と、乗算部２６４とをさらに加えたものに相当する。これらの部位は、上述した補正ダークスペクトルを動的に決定する。
【０１３１】
より具体的には、補正ダークパターン格納部２６０は、光検出器２５に設定可能な複数の露光時間の別に、複数の補正ダークパターン２６１を記憶する。各補正ダークパターン２６１は、検出領域２５ａに含まれる検出素子の数に対応して、少なくとも区画されたＮ個の成分値（１ｃｈ，２ｃｈ，…，Ｎｃｈ）によって定義される。
【０１３２】
セレクタ２６２および乗算部２６４は、協働して、補正ダークスペクトルを動的に決定する。より具体的には、セレクタ２６２は、補正ダークパターン格納部２６０に記憶されている複数の補正ダークパターン２６１のうち、光検出器２５に設定されている露光時間に対応する補正ダークパターン２６１を選択する。セレクタ２６２は、クロック信号ＣＬＯＣＫに従って、選択している補正ダークパターン２６１の成分値（比率）を順次読出して、乗算部２６４へ出力する。
【０１３３】
乗算部２６４は、セレクタ２６２から入力される成分値（比率）に補正値ΔＭを乗じて、補正ダークスペクトルを算出する。すなわち、本変形例においては、周囲温度を反映するパラメータとして補正値ΔＭを用いる。これは、補正値ΔＭが測定光とは独立した迷光の値を反映したものであり、この迷光の大きさがほぼ一定であるとすると、補正値ΔＭの振幅の変動要因は、周囲温度の影響によるものとみなすことができるからである。したがって、光検出器２５に設定されている露光時間に対応する補正ダークパターン２６１に補正値ΔＭを乗じることで、目的の補正ダークスペクトルを決定（推定）することができる。
【０１３４】
本実施の形態においては、複数の補正ダークパターン２６１は、補正値ΔＭで規格化された値として予め実験的に取得される。これらの複数の補正ダークパターン２６１は、光検出器２５に固有の値となる場合も多いと考えられる。そのため、たとえば、本変形例に従う測定器本体２の完成検査時などに実際に測定することで、複数の補正ダークパターン２６１を決定してもよい。
【０１３５】
すなわち、補正ダークパターン格納部２６０に格納される補正ダークパターン２６１の各波長の成分値をＰ（ｉ）｛但し、１≦ｉ≦ｎ｝とすると、メモリ２３０に格納される補正ダークスペクトルの各波長の信号強度Ｄ（ｉ）｛但し、１≦ｉ≦ｎ｝は、以下のように表わすことができる。
【０１３６】
Ｄ（ｉ）＝ΔＭ×Ｐ（ｉ）｛但し、１≦ｉ≦ｎ｝
セレクタ２６８は、セレクタ２６２と共通のクロック信号ＣＬＯＣＫに従って、乗算部２６４から出力される補正ダークスペクトルの各成分値をメモリ２３０へ順次格納する。
【０１３７】
以上のように、メモリ２３０に補正ダークスペクトルの各成分値が格納された後の動作としては、上述の図９に示す処理装置１００と同様であるので、詳細な説明は繰返さない。
【０１３８】
＜測定手順＞
上述したように、本変形例に従う光学特性測定装置１Ａでは、予め用意される補正ダークパターンを用いて、補正ダークスペクトルを算出するので、上述したようなダーク測定を必要としない。以下、図２０を参照して、本変形例に従う測定手順について説明する。
【０１３９】
図２０は、この発明の実施の形態の変形例１に従う光学特性測定装置１Ａにおける測定手順を示すフローチャートである。
【０１４０】
図２０を参照して、処理装置１００Ａは、測定開始指令を与えられたか否かを判断する（ステップＳ４００）。測定開始指令が与えられていない場合（ステップＳ４００においてＮＯの場合）には、測定開始指令が与えられるまで待つ。なお、測定開始指令が与えられる前に、対象物から放射される光が光取出部６に取り込まれるように、対象物および／または光取出部６の位置合わせが実行される。
【０１４１】
一方、測定開始指令が与えられた場合（ステップＳ４００においてＹＥＳの場合）には、処理装置１００Ａは、光検出器２５の検出領域２５ａで検出された測定スペクトルと、光検出器２５の補正領域２５ｂで検出された信号強度とを取得する（ステップＳ４０２）。さらに、処理装置１００Ａは、補正領域２５ｂで検出された信号強度に基づいて、補正値を算出する（ステップＳ４０４）。より具体的には、補正領域２５ｂで検出された複数の信号強度の平均値が補正値として算出される。
【０１４２】
続いて、処理装置１００Ａは、ステップＳ４０２において取得された検出領域２５ａで検出された測定スペクトルに含まれる各成分値（信号強度）から、ステップＳ４０４において算出した補正値を（一律に）減じることで補正測定スペクトルを算出する（ステップＳ４０６）。すなわち、処理装置１００Ａは、補正領域２５ｂで検出された信号強度に基づいて算出される補正値で、測定スペクトルを補正することで補正測定スペクトルを算出する。
【０１４３】
並行して、処理装置１００Ａは、予め用意されている複数の補正ダークパターンのうち、設定されている露光時間に対応する補正ダークパターンを読出す（ステップＳ４０８）。続いて、処理装置１００Ａは、読出した補正ダークパターンの各成分値に補正値ΔＭを乗じることで、補正ダークスペクトルを決定する（ステップＳ４１０）。
【０１４４】
続いて、処理装置１００Ａは、ステップＳ４０６において算出した補正測定スペクトルの各成分値から、ステップＳ４１０において算出した補正ダークスペクトルの対応する成分値を減じることで、出力スペクトルを算出する（ステップＳ４１２）。この出力スペクトルが検出結果として出力される。
【０１４５】
その後、測定中止指令が与えられたか否かを判断する（ステップＳ４１４）。測定中止指令が与えられていない場合（ステップＳ４１４においてＮＯの場合）には、処理はステップＳ４００に戻る。
【０１４６】
一方、測定中止指令が与えられた場合（ステップＳ４１４においてＹＥＳの場合）には、処理は終了する。
【０１４７】
以上のように、本変形例に従う光学特性測定装置１においては、予めダーク測定を行なう必要がない。そのため、通常測定に要する時間をより短縮することができる。
【０１４８】
＜本実施の形態における作用効果＞
本変形例に従う光学特性測定装置１Ａによれば、予め用意される補正ダークパターンに基づいて、ダーク測定によって得られ得る補正ダークスペクトルが動的に決定される。そのため、通常測定に先だってダーク測定を行なう必要がない。この結果、測定器本体の内部に侵入する外乱光を遮断するためのシャッターを設けなくともよい。したがって、より測定器本体の構成を簡略化できるとともに、製造コストを低減することもできる。
【０１４９】
［変形例２］
上述した、この発明の実施の形態の変形例１においては、光検出器２５に設定可能な複数の露光時間に対応付けて複数の補正ダークパターンを用意する構成について例示したが、共通の補正ダークパターンを用意しておき、周囲温度および露光時間を反映するように、補正ダークスペクトルを決定してもよい。以下、このような共通の補正ダークパターンから補正ダークスペクトルを決定するための構成について例示する。
【０１５０】
本変形例に従う測定器本体の構成は、図１２に示す変形例１に従う測定器本体と同様であるので、詳細な説明は繰返さない。
【０１５１】
本変形例に従う処理装置における制御構造は、図１９に示す変形例１に従う処理装置における制御構造において、補正ダークスペクトルを決定するための構成が異なるのみであるので、この異なる構成について以下説明する。
【０１５２】
図２１は、この発明の実施の形態の変形例２に従う光学特性測定装置の処理装置における制御構造の要部を示す概略図である。
【０１５３】
図２１を参照して、本変形例に従う処理装置は、共通補正ダークパターン格納部２７０と、セレクタ２７２と、対数演算部２７４と、乗算部２７６と、セレクタ２６８と、メモリ２３０とを含む。
【０１５４】
共通補正ダークパターン格納部２７０は、共通の補正ダークパターンを記憶する。この共通の補正ダークパターンは、検出領域２５ａに含まれる検出素子の数に対応して、少なくとも区画されたＮ個の成分値（１ｃｈ，２ｃｈ，…，Ｎｃｈ）によって定義される。
【０１５５】
セレクタ２７２、対数演算部２７４および乗算部２７６は、協働して、補正ダークスペクトルを動的に決定する。補正ダークスペクトルの振幅は、光検出器２５の露光時間の対数値に比例するので、対数演算部２７４および乗算部２７６は、共通補正ダークパターンを露光時間の対数値で補正する。同時に、対数演算部２７４および乗算部２７６は、共通補正ダークパターンを補正値ΔＭで補正する。これにより、共通補正ダークパターンから、露光時間および測定時点の周囲温度を反映した補正ダークスペクトルを決定することができる。
【０１５６】
より具体的には、セレクタ２７２は、共通補正ダークパターン格納部２７０に格納されている共通の補正ダークパターンの各成分値を順次読出して、乗算部２７６へ出力する。対数演算部２７４は、光検出器２５の露光時間を受けて、その対数値を出力する。乗算部２７６は、セレクタ２７２から入力される成分値（比率）に、補正値である露光時間の対数値および補正値ΔＭを乗じて、補正ダークスペクトルを算出する。この補正ダークスペクトルは、セレクタ２６８を通じて、メモリ２３０へ格納される。
【０１５７】
メモリ２３０に補正ダークスペクトルの各成分値が格納された後の動作としては、上述の図９に示す処理装置１００と同様であるので、詳細な説明は繰返さない。
【０１５８】
以上のように、本変形例に従う光学特性測定装置においては、予め共通の補正ダークパターンを用意するだけでよいので、複数の補正ダークパターンを用意する場合に比較して、より構成を簡素化できる。
【０１５９】
［変形例３］
上述したこの発明の実施の形態の変形例１および変形例２においては、補正ダークスペクトルを規格化した補正ダークパターンを予め取得しておく構成について例示したが、ダークスペクトルを規格化したダークパターンを予め取得しておくようにしてもよい。すなわち、光検出器２５のノイズ特性を示すパターンとして、補正ダークパターンおよびダークパターンのいずれを採用してもよい。
【０１６０】
この場合には、たとえば、上述の変形例１に従う処理装置１００Ａにおける制御構造（図１９）において、補正ダークパターン格納部２６０に代えて、複数の露光時間の別に取得された複数のダークパターンを記憶するダークパターン格納部が設けられる。そして、セレクタ２６２および乗算部２６４により、ダークスペクトルが動的に決定される。
【０１６１】
このとき、補正ダークスペクトルではなくダークスペクトルが決定されるので、ダークスペクトルを補正ダークスペクトルに補正するための処理がさらに実行される。典型的には、図１９に示す乗算部２６４の後段に、減算部２１６と同様の減算部が設けられ、この減算部が乗算部２６４により出力されるダークスペクトルの各成分値から補正値ΔＭを減じる。これにより、補正ダークスペクトルが得られる。以下の処理については、上述の変形例１と同様であるので、詳細な説明は繰返さない。
【０１６２】
同様に、上述の変形例２に従う処理装置における制御構造（図２１）において、共通補正ダークパターン格納部２７０に代えて、共通のダークパターンを記憶する共通ダークパターン格納部が設けられる。そして、セレクタ２７２、対数演算部２７４および乗算部２７６により、ダークスペクトルが動的に決定される。さらに、決定されたダークスペクトルを補正ダークスペクトルに補正するための処理がさらに実行される。典型的には、図２１に示す乗算部２７６の後段に、減算部２１６（図１９）と同様の減算部が設けられ、この減算部が乗算部２７６により出力されるダークスペクトルの各成分値から補正値ΔＭを減じる。これにより、補正ダークスペクトルが得られる。以下の処理については、上述の変形例２と同様であるので、詳細な説明は繰返さない。
【０１６３】
［変形例４］
上述の実施の形態においては、測定器本体２および処理装置１００をそれぞれ独立の装置として構成する場合について例示したが、両装置を一体化して構成してもよい。
【０１６４】
［変形例５］
本発明に係るプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明に係るプログラムに含まれ得る。
【０１６５】
さらに、本発明に係るプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明に係るプログラムに含まれ得る。
【０１６６】
さらに、本発明に係るプログラムによって実現される機能の一部または全部を専用のハードウェアによって構成してもよい。
【０１６７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１６８】
１，１Ａ  光学特性測定装置、２  測定器本体、４  光ファイバ、６  光取出部、２０  光取入口、２１  シャッター、２２  スリット、２３  カットフィルタ、２４  分光器、２５  光検出器、２５ａ  検出領域、２５ｂ  補正領域、２６  筐体、１００，１００Ａ  処理装置、１０１  コンピュータ本体、１０２  モニタ、１０３  キーボード、１０４  マウス、１０６  メモリ、１０７  固定ディスク、１０９  通信インターフェイス部、１１１  ＦＤ駆動装置、１１３  ＣＤ−ＲＯＭ駆動装置、２０２，２１２，２２０，２４０  バッファ、２０４  補正値算出部、２１４，２１８，２２２，２２６，２３２，２６２  セレクタ、２１６，２２４  減算部、２３０  メモリ、２６４，２７６  乗算部、２７０  共通補正ダークパターン格納部、２７４  対数演算部。
【図１】
2010117343.tif 000004
【図２】
2010117343.tif 000005
【図３】
2010117343.tif 000006
【図４】
2010117343.tif 000007
【図５】
2010117343.tif 000008
【図６】
2010117343.tif 000009
【図７】
2010117343.tif 000010
【図８】
2010117343.tif 000011
【図９】
2010117343.tif 000012
【図１０】
2010117343.tif 000013
【図１１】
2010117343.tif 000014
【図１２】
2010117343.tif 000015
【図１３】
2010117343.tif 000016
【図１４】
2010117343.tif 000017
【図１５】
2010117343.tif 000018
【図１６】
2010117343.tif 000019
【図１７】
2010117343.tif 000020
【図１８】
2010117343.tif 000021
【図１９】
2010117343.tif 000022
【図２０】
2010117343.tif 000023
【図２１】
2010117343.tif 000024